【手続補正書】
【提出日】平成17年10月14日(2005.10.14)
【手続補正１】
【補正対象書類名】明細書
【補正対象項目名】特許請求の範囲
【補正方法】変更
【補正の内容】
【特許請求の範囲】
【請求項１】  水溶性合成会合性増粘剤ポリマー、脂肪族並びに芳香族カルボン酸のナトリウム並びにカリウム塩、炭酸ナトリウムおよび炭酸カリウムからなる群から選択される炭素含有水溶性塩、および水を含んでなる流動性水性懸濁液。
【請求項２】  ポリマーは、疎水変性ポリエーテル−ポリウレタン、末端親水性基を有する疎水変性ポリエーテル−ポリウレタン、疎水変性ポリアクリレート、疎水変性ポリエーテル−ポリオール、疎水変性ポリアクリルアミド、疎水変性アミノプラスト−ポリエーテル、およびアルキル、アリール、アリールアルキル、アルケニル、アリールアルケニル、脂環式、パーフルオロアルキル、カルボシリル、ポリシクリル並びに複合デンドリック基（ここで、アルキル、アルケニル、パーフルオロアルキルおよびカルボシリル疎水性基は１〜４０個の炭素原子を有し、アリール、アリールアルキル、アリールアルケニル、脂環式およびポリシクリル疎水性基は３〜４０個の炭素原子を有する）からなる群から独立して選択される疎水性基によりキャップされた末端を有するポリ（アセタール−またはケタール−ポリエーテル）主鎖を含む疎水変性ポリ（アセタール−またはケタール−ポリエーテル）からなる群から選択される請求項１に記載の水性懸濁液。
【請求項３】  ポリマーの重量平均分子量の上限は、約２,０００,０００である請求項２に記載の水性懸濁液。
【請求項４】  ポリマーの重量平均分子量の下限は、約５００である請求項２に記載の水性懸濁液。
【請求項５】  ポリマーの量の下限は約５重量％であり、炭素含有水溶性塩の量の下限は約１０重量％であり、水の量の下限は約４０重量％であり、該懸濁液は、さらに０〜約１重量％の安定剤および所望により保存剤を含む請求項２に記載の水性懸濁液。
【請求項６】  ポリマーの量の上限は約４０重量％であり、炭素含有水溶性塩の量の上限は約４５重量％であり、水の量の上限は約８５重量％である請求項２に記載の水性懸濁液。
【請求項７】  炭素含有水溶性塩は、１〜６個の炭素原子を有するカルボン酸のナトリウム並びにカリウム塩、炭酸ナトリウムおよび炭酸カリウムからなる群から選択される請求項２に記載の水性懸濁液。
【請求項８】  さらに、炭素無含有水溶性塩を、炭素含有塩の重量に対して約１：１までの比で含む請求項２に記載の水性懸濁液。
【請求項９】  該懸濁液は、さらにキサンタンガム、ナトリウムカルボキシメチルセルロース、ベントナイト粘土およびカラギーナンからなる群から選択される安定剤を含む請求項２に記載の水性懸濁液。
【請求項１０】  ポリマーの重量平均分子量の下限は約５００であり、ポリマーの量の下限は約５重量％であり、炭素含有水溶性塩の量の下限は約１０重量％であり、水の量の下限は約４０重量％であり、該懸濁液はさらにキサンタンガム、ナトリウムカルボキシメチルセルロース、ベントナイト粘土およびカラギーナンからなる群から選択される安定剤０〜約１重量％並びに所望により保存剤を含み、ポリマーの量の上限は約４０重量％であり、ギ酸ナトリウムの量の上限は約４５重量％であり、水の量の上限は約８５重量％であり、炭素含有水溶性塩は、１〜６個の炭素原子を有するカルボン酸のナトリウム並びにカリウム塩、炭酸ナトリウムおよび炭酸カリウムからなる群から選択される請求項３に記載の水性懸濁液。
【請求項１１】  ポリマーは、アルキルおよびアルケニル基が８〜２２個の炭素原子を有し、アリール、アリールアルキル、アリールアルケニル、脂環式およびポリシクリル基が６〜２９個の炭素原子を有するポリ（アセタール−またはケタール−ポリエーテル）である請求項１０に記載の水性懸濁液。
【請求項１２】  ポリマーの重量平均分子量の下限は約１５,０００である請求項１０に記載の水性懸濁液。
【請求項１３】  ポリマーの重量平均分子量の上限は約５００,０００である請求項１０に記載の水性懸濁液。
【請求項１４】  ポリマーの量の下限は約１５重量％であり、炭素含有水溶性塩の量の下限は約２０重量％であり、水の量の下限は約４５重量％であり、安定剤の量の下限は約０．２重量％であり、保存剤の量の下限は約０．０５重量％である請求項１０に記載の水性懸濁液。
【請求項１５】  ポリマーの量の上限は約３０重量％であり、炭素含有水溶性塩の量の上限は約４０重量％であり、水の量の上限は約６５重量％であり、安定剤の量の上限は約０．４重量％であり、保存剤の量の上限は約０．２重量％である請求項１０に記載の水性懸濁液。
【請求項１６】  安定剤は、キサンタンガムおよびカラギーナンからなる群から選択される請求項１０に記載の水性懸濁液。
【請求項１７】  炭素含有水溶性塩は、ギ酸ナトリウムおよびギ酸カリウムからなる群から選択される請求項１０に記載の水性懸濁液。
【請求項１８】  さらに、炭素無含有水溶性塩を、炭素含有塩の重量に対して約０．５：１までの比で含む請求項１０に記載の水性懸濁液。
【請求項１９】  ポリマーの重量平均分子量の下限は約１５,０００であり、ポリマーの重量平均分子量の上限は約５００,０００であり、ポリマーの量の下限は約１５重量％であり、炭素含有水溶性塩の量の下限は約２０重量％であり、水の量の下限は約４５重量％であり、安定剤の量の下限は約０．２重量％であり、保存剤の量の下限は約０．０５重量％であり、ポリマーの量の上限は約３０重量％であり、炭素含有水溶性塩の量の上限は約４０重量％であり、水の量の上限は約６５重量％であり、安定剤の量の上限は約０．４重量％であり、保存剤の量の上限は約０．２重量％であり、安定剤はキサンタンガムおよびカラギーナンからなる群から選択され、炭素含有水溶性塩はギ酸ナトリウムおよびギ酸カリウムからなる群から選択される請求項１１に記載の水性懸濁液。
【請求項２０】  ポリマーの重量平均分子量は約２０,０００〜約１００,０００であり、アルキルおよびアルケニル基は１２〜１８個の炭素原子を有し、アリール、アリールアルキル、アリールアルケニル、脂環式およびポリシクリル基は１４〜２５個の炭素原子を有する請求項１９に記載の水性懸濁液。
【請求項２１】  ポリマーの量は約２０〜約２５重量％であり、炭素含有水溶性塩はギ酸ナトリウムであって、ギ酸ナトリウムの量は約２５〜約３５重量％であり、水の量は約５０〜約５５重量％である請求項１９に記載の水性懸濁液。
【請求項２２】  安定剤の量は約０．２〜約０．３重量％であり、保存剤の量は約０．１〜約０．１５重量％であり、安定剤はキサンタンガムであり、保存剤は５−クロロ−２−メチル−４−イソチアゾリン−３−オン、ブロモ酢酸ベンジル、二環式オキサゾリン類、４,４−ジメチルオキサゾリジンおよび１,２−ベンズイソチアゾリン−３−オンからなる群から選択される請求項１９に記載の水性懸濁液。
【請求項２３】  ポリマーの量は約２０〜約２５重量％であり、炭素含有水溶性塩はギ酸ナトリウムであって、ギ酸ナトリウムの量は約２５〜約３５重量％であり、水の量は約５０〜約５５重量％であり、安定剤の量は約０．２〜約０．３重量％であり、保存剤の量は約０．１〜約０．１５重量％であり、安定剤はキサンタンガムであり、保存剤は５−クロロ−２−メチル−４−イソチアゾリン−３−オン、ブロモ酢酸ベンジル、二環式オキサゾリン類、４,４−ジメチルオキサゾリジンおよび１,２−ベンズイソチアゾリン−３−オンからなる群から選択される請求項２０に記載の水性懸濁液。
【請求項２４】  ギ酸ナトリウムの量は約３０重量％である請求項２３に記載の水性懸濁液。
【請求項２５】  アルキル基は１６個の炭素原子を有する請求項１１に記載の水性懸濁液。
【請求項２６】  （１）脂肪族および芳香族カルボン酸のナトリウム並びにカリウム塩、炭酸ナトリウムおよび炭酸カリウムからなる群から選択される炭素含有水溶性塩と水溶性合成会合性増粘剤ポリマーとのブレンドを水に添加し、
（２）塩／ポリマーブレンドと水とを混合する
ことを含んでなる、水溶性合成会合性増粘剤ポリマーの流動性水性懸濁液の製造方法。
【請求項２７】  炭素含有水溶性塩は、１〜６個の炭素原子を有するカルボン酸のナトリウム並びにカリウム塩、炭酸ナトリウムおよび炭酸カリウムからなる群から選択され、ポリマーは、疎水変性ポリウレタン、末端親水性基を有する疎水変性ポリエーテル−ポリウレタン、疎水変性ポリアクリレート、疎水変性ポリエーテル−ポリオール、疎水変性ポリアクリルアミド、疎水変性アミノプラスト−ポリエーテル、およびアルキル、アリール、アリールアルキル、アルケニル、アリールアルケニル、脂環式、パーフルオロアルキル、カルボシリル、ポリシクリル並びに複合デンドリック基（ここで、アルキル、アルケニル、パーフルオロアルキルおよびカルボシリル疎水性基は１〜４０個の炭素原子を有し、アリール、アリールアルキル、アリールアルケニル、脂環式およびポリシクリル疎水性基は３〜４０個の炭素原子を有する）からなる群から独立して選択される疎水性基によりキャップされた末端を有するポリ（アセタール−またはケタール−ポリエーテル）主鎖を含む疎水変性ポリ（アセタール−またはケタール−ポリエーテル）からなる群から選択され、ポリマーは約５００〜約２,０００,０００の重量平均分子量を有し、ポリマーの量は約５〜約４０重量％であり、炭素含有水溶性塩の量は約１０〜約４５重量％であり、水の量は約４０〜約８５重量％であり、０〜約０．４重量％の安定剤、０〜約０．２重量％の保存剤、および炭素含有塩に対して重量比０〜１：１の炭素無含有塩を添加する請求項２６に記載の製造方法。
【請求項２８】  炭素含有水溶性塩は、ギ酸ナトリウムおよびギ酸カリウムからなる群から選択され、ポリマーは、アルキルおよびアルケニル基が８〜２２個の炭素原子を有し、アリール、アリールアルキル、アリールアルケニル、脂環式およびポリシクリル基が６〜２９個の炭素原子を有するポリ（アセタール−またはケタール−ポリエーテル）であり、ポリマーの重量平均分子量は約１５,０００〜約５００,０００であり、キサンタンガムおよびカラギーナンからなる群から選択される安定剤約０．２〜約０．４重量％、５−クロロ−２−メチル−４−イソチアゾリン−３−オン、ブロモ酢酸ベンジル、二環式オキサゾリン類、４,４−ジメチルオキサゾリジンおよび１,２−ベンズイソチアゾリン−３−オンからなる群から選択される保存剤約０．０５〜約０．２重量％、および炭素含有塩に対して重量比０〜０．５：１の炭素無含有塩を添加する請求項２６に記載の製造方法。
【請求項２９】  ポリマーを、微粒子粉状で添加する請求項２６に記載の製造方法。
【請求項３０】  （１）脂肪族および芳香族カルボン酸のナトリウム並びにカリウム塩、炭酸ナトリウムおよび炭酸カリウムからなる群から選択される炭素含有水溶性塩と水溶性合成会合性増粘剤ポリマーと安定剤とのブレンドを水に添加し、
（２）塩／ポリマー／安定剤ブレンドと水とを混合する
ことを含んでなる、水溶性合成会合性増粘剤ポリマーの流動性水性懸濁液の製造方法。
【請求項３１】  炭素含有水溶性塩は、１〜６個の炭素原子を有するカルボン酸のナトリウム並びにカリウム塩、炭酸ナトリウムおよび炭酸カリウムからなる群から選択され、ポリマーは、疎水変性ポリウレタン、末端親水性基を有する疎水変性ポリエーテル−ポリウレタン、疎水変性ポリアクリレート、疎水変性ポリエーテル−ポリオール、疎水変性ポリアクリルアミド、疎水変性アミノプラスト−ポリエーテル、およびアルキル、アリール、アリールアルキル、アルケニル、アリールアルケニル、脂環式、パーフルオロアルキル、カルボシリル、ポリシクリル並びに複合デンドリック基（ここで、アルキル、アルケニル、パーフルオロアルキルおよびカルボシリル疎水性基は１〜４０個の炭素原子を有し、アリール、アリールアルキル、アリールアルケニル、脂環式およびポリシクリル疎水性基は３〜４０個の炭素原子を有する）からなる群から独立して選択される疎水性基によりキャップされた末端を有するポリ（アセタール−またはケタール−ポリエーテル）主鎖を含む疎水変性ポリ（アセタール−またはケタール−ポリエーテル）からなる群から選択され、ポリマーは約５００〜約２,０００,０００の重量平均分子量を有し、ポリマーの量は約５〜約４０重量％であり、炭素含有水溶性塩の量は約１０〜約４５重量％であり、水の量は約４０〜約８５重量％であり、０〜約０．４重量％の安定剤、０〜約０．２重量％の保存剤、および炭素含有塩に対して重量比０〜１：１の炭素無含有塩を添加する請求項３０に記載の製造方法。
【請求項３２】  炭素含有水溶性塩は、ギ酸ナトリウムおよびギ酸カリウムからなる群から選択され、ポリマーは、アルキルおよびアルケニル基が８〜２２個の炭素原子を有し、アリール、アリールアルキル、アリールアルケニル、脂環式およびポリシクリル基が６〜２９個の炭素原子を有するポリ（アセタール−またはケタール−ポリエーテル）であり、ポリマーの重量平均分子量は約１５,０００〜約５００,０００であり、キサンタンガムおよびカラギーナンからなる群から選択される安定剤約０．２〜約０．４重量％、５−クロロ−２−メチル−４−イソチアゾリン−３−オン、ブロモ酢酸ベンジル、二環式オキサゾリン類、４,４−ジメチルオキサゾリジンおよび１,２−ベンズイソチアゾリン−３−オンからなる群から選択される保存剤約０．０５〜約０．２重量％、および炭素含有塩に対して重量比０〜０．５：１の炭素無含有塩を添加する請求項３０に記載の製造方法。
【請求項３３】  ポリマーを、微粒子粉状で添加する請求項３０に記載の製造方法。
【請求項３４】  （１）安定剤を水に溶解し、
（２）脂肪族および芳香族カルボン酸のナトリウム並びにカリウム塩、炭酸ナトリウムおよび炭酸カリウムからなる群から選択される炭素含有水溶性塩と水溶性合成会合性増粘剤ポリマーとのブレンドを安定剤溶液に添加し、混合する
ことを含んでなる、水溶性合成会合性増粘剤ポリマーの流動性水性懸濁液の製造方法。
【請求項３５】  炭素含有水溶性塩は、１〜６個の炭素原子を有するカルボン酸のナトリウム並びにカリウム塩、炭酸ナトリウムおよび炭酸カリウムからなる群から選択され、ポリマーは、疎水変性ポリウレタン、末端親水性基を有する疎水変性ポリエーテル−ポリウレタン、疎水変性ポリアクリレート、疎水変性ポリエーテル−ポリオール、疎水変性ポリアクリルアミド、疎水変性アミノプラスト−ポリエーテル、およびアルキル、アリール、アリールアルキル、アルケニル、アリールアルケニル、脂環式、パーフルオロアルキル、カルボシリル、ポリシクリル並びに複合デンドリック基（ここで、アルキル、アルケニル、パーフルオロアルキルおよびカルボシリル疎水性基は１〜４０個の炭素原子を有し、アリール、アリールアルキル、アリールアルケニル、脂環式およびポリシクリル疎水性基は３〜４０個の炭素原子を有する）からなる群から独立して選択される疎水性基によりキャップされた末端を有するポリ（アセタール−またはケタール−ポリエーテル）主鎖を含む疎水変性ポリ（アセタール−またはケタール−ポリエーテル）からなる群から選択され、ポリマーは約５００〜約２,０００,０００の重量平均分子量を有し、ポリマーの量は約５〜約４０重量％であり、炭素含有水溶性塩の量は約１０〜約４５重量％であり、水の量は約４０〜約８５重量％であり、０〜約０．４重量％の安定剤、０〜約０．２重量％の保存剤、および炭素含有塩に対して重量比０〜１：１の炭素無含有塩を添加する請求項３４に記載の製造方法。
【請求項３６】  炭素含有水溶性塩は、ギ酸ナトリウムおよびギ酸カリウムからなる群から選択され、ポリマーは、アルキルおよびアルケニル基が８〜２２個の炭素原子を有し、アリール、アリールアルキル、アリールアルケニル、脂環式およびポリシクリル基が６〜２９個の炭素原子を有するポリ（アセタール−またはケタール−ポリエーテル）であり、ポリマーの重量平均分子量は約１５,０００〜約５００,０００であり、キサンタンガムおよびカラギーナンからなる群から選択される安定剤約０．２〜約０．４重量％、５−クロロ−２−メチル−４−イソチアゾリン−３−オン、ブロモ酢酸ベンジル、二環式オキサゾリン類、４,４−ジメチルオキサゾリジンおよび１,２−ベンズイソチアゾリン−３−オンからなる群から選択される保存剤約０．０５〜約０．２重量％、および炭素含有塩に対して重量比０〜０．５：１の炭素無含有塩を添加する請求項３４に記載の製造方法。
【請求項３７】  ポリマーを、微粒子粉状で添加する請求項３４に記載の製造方法。
【請求項３８】  （１）脂肪族および芳香族カルボン酸のナトリウム並びにカリウム塩、炭酸ナトリウムおよび炭酸カリウムからなる群から選択される炭素含有水溶性塩を水に溶解し、
（２）水溶性合成会合性増粘剤ポリマーを炭素含有水溶性塩の水溶液に添加する
ことを含んでなる、水溶性合成会合性増粘剤ポリマーの流動性水性懸濁液の製造方法。
【請求項３９】  炭素含有水溶性塩は、１〜６個の炭素原子を有するカルボン酸のナトリウム並びにカリウム塩、炭酸ナトリウムおよび炭酸カリウムからなる群から選択され、ポリマーは、疎水変性ポリウレタン、末端親水性基を有する疎水変性ポリエーテル−ポリウレタン、疎水変性ポリアクリレート、疎水変性ポリエーテル−ポリオール、疎水変性ポリアクリルアミド、疎水変性アミノプラスト−ポリエーテル、およびアルキル、アリール、アリールアルキル、アルケニル、アリールアルケニル、脂環式、パーフルオロアルキル、カルボシリル、ポリシクリル並びに複合デンドリック基（ここで、アルキル、アルケニル、パーフルオロアルキルおよびカルボシリル疎水性基は１〜４０個の炭素原子を有し、アリール、アリールアルキル、アリールアルケニル、脂環式およびポリシクリル疎水性基は３〜４０個の炭素原子を有する）からなる群から独立して選択される疎水性基によりキャップされた末端を有するポリ（アセタール−またはケタール−ポリエーテル）主鎖を含む疎水変性ポリ（アセタール−またはケタール−ポリエーテル）からなる群から選択され、ポリマーは約５００〜約２,０００,０００の重量平均分子量を有し、ポリマーの量は約５〜約４０重量％であり、炭素含有水溶性塩の量は約１０〜約４５重量％であり、水の量は約４０〜約８５重量％であり、０〜約０．４重量％の安定剤、０〜約０．２重量％の保存剤、および炭素含有塩に対して重量比０〜１：１の炭素無含有塩を添加する請求項３８に記載の製造方法。
【請求項４０】  炭素含有水溶性塩は、ギ酸ナトリウムおよびギ酸カリウムからなる群から選択され、ポリマーは、アルキルおよびアルケニル基が８〜２２個の炭素原子を有し、アリール、アリールアルキル、アリールアルケニル、脂環式およびポリシクリル基が６〜２９個の炭素原子を有するポリ（アセタール−またはケタール−ポリエーテル）であり、ポリマーの重量平均分子量は約１５,０００〜約５００,０００であり、キサンタンガムおよびカラギーナンからなる群から選択される安定剤約０．２〜約０．４重量％、５−クロロ−２−メチル−４−イソチアゾリン−３−オン、ブロモ酢酸ベンジル、二環式オキサゾリン類、４,４−ジメチルオキサゾリジンおよび１,２−ベンズイソチアゾリン−３−オンからなる群から選択される保存剤約０．０５〜約０．２重量％、および炭素含有塩に対して重量比０〜０．５：１の炭素無含有塩を添加する請求項３８に記載の製造方法。
【請求項４１】  ポリマーを、微粒子粉状で添加する請求項３８に記載の製造方法。
【請求項４２】  請求項１〜２５のいずれかに記載の水性懸濁液を水性系に添加することを含んでなる水性系の増粘方法。
【請求項４３】  ラテックス塗料、サイジング系、接着剤、化粧品、医薬品、目地材、ラテックス、油井掘穿用泥水、セメント系、紙被覆剤および鉱物スラリーからなる群から選択される水性系の増粘方法であって、請求項１〜２５のいずれかに記載の水性懸濁液を水性系に添加することを含んでなる方法。
【請求項４４】  ラテックス塗料に請求項１〜２５のいずれかに記載の水性懸濁液を添加することを含んでなるラテックス塗料の増粘方法。
【請求項４５】  請求項１〜２５のいずれかに記載の水性懸濁液と少なくとも１種の他の増粘剤の組み合わせを水性系に添加することを含んでなる水性系の増粘方法。
【請求項４６】  請求項１〜２５のいずれかに記載の水性懸濁液と、ヒドロキシエチルセルロース、疎水変性ヒドロキシエチルセルロース、疎水変性エチルヒドロキシエチルセルロース、メチルヒドロキシプロピルセルロース、エチルヒドロキシエチルセルロース、カルボキシメチルセルロース、ポリビニルアルコール、ポリウレタン、ポリアクリレート、ポリアクリルアミド、グアーガム、グアーガム誘導体、粘土およびアルカリ溶解性ポリアクリレートからなる群から選択される少なくとも１種の他の増粘剤との組み合わせを水性系に添加することを含んでなる水性系の増粘方法。
【請求項４７】  請求項１〜２５のいずれかに記載の水性懸濁液と、ヒドロキシエチルセルロース、疎水変性ヒドロキシエチルセルロース、疎水変性エチルヒドロキシエチルセルロース、ポリウレタンおよびエチルヒドロキシエチルセルロースからなる群から選択される少なくとも１種の他の増粘剤との組み合わせを水性系に添加することを含んでなる水性系の増粘方法。